(57)【要約】【課題】背面に水圧が負荷されているコンクリート構造物の壁体から、背面側の加圧水や土砂が壁体の表面側に噴出するのを回避しつつ、壁体を貫通してコンクリートコアを安定した状態で容易に採取できるコンクリートコア採取装置を提供する。【解決手段】コンクリートコア採取装置１０は、コアカッター１２と、コアカッター１２の後方に接続される進退ロッド１３と、進退ロッド１３を支持する回転駆動機構１４を備える進退駆動装置１５と、内部に加圧水を封入可能な筒状封入管１６と、給水部２０と、排水部２１とを含む。筒状封入管１６の内部には、コアカッター１２がコア採取箇所１７に対向して進退可能に配置されると共に、筒状封入管１６には、一方の開口端面１６ａ側の部分を開閉可能に仕切って閉塞することにより加圧水で満しつつ、止水キャップ１８を解放可能とするバルブ装置２３や、内部の水圧を計測する圧力ゲージ２４が設けられている。【選択図】図１
2008246743.tif 000002
【特許請求の範囲】
【請求項１】
背面に水圧が負荷されているコンクリート構造物の壁体から、当該壁体を貫通してコンクリートコアを採取する際に用いるコンクリートコア採取装置であって、
コアカッターと、該コアカッターの貫通方向後方に接続される進退ロッドと、該進退ロッドを進退可能に支持すると共に、回転駆動機構を備える進退駆動装置と、一方の開口端面でコア採取箇所を覆って前記壁体の表面に密着状態で取り付けられると共に、他方の開口端面が開閉可能な止水キャップで閉塞されることにより内部に加圧水を封入可能な筒状封入管と、該筒状封入管に水を供給する給水部と、該筒状封入管から水を排出する排水部とを含んで構成され、
前記進退ロッドが前記止水キャップのシール孔に摺動可能に挿通されることにより、前記筒状封入管の内部には、前記コアカッターが前記コア採取箇所に対向して進退可能に配置されると共に、前記筒状封入管には、前記一方の開口端面側の部分を開閉可能に仕切って閉塞することにより、当該一方の開口端面側の部分を加圧水で満しつつ、前記止水キャップを前記他方の開口端面から解放可能とするバルブ装置が設けられており、且つ前記一方の開口端面側の部分には、これの内部の水圧を計測する圧力ゲージが取り付けられているコンクリートコア採取装置。
【請求項２】
前記給水部からの供給水圧及び前記排水部からの排出水圧が調整可能となっている請求項１に記載のコンクリートコア採取装置。
【請求項３】
請求項１又は２に記載のコンクリートコア採取装置を用いたコンクリートコア採取方法であって、
前記コンクリート構造物の壁体の表面側から前記コアカッターによる削孔を行って、前記壁体を貫通する手前の前記壁体の背面との間に所定の厚さのコンクリートを残した背面部分までは、前記筒状封入管に加圧水を封入することなく、前記進退ロッドを介して前記コアカッターに送られる削孔水を前記排水部から排出しつつ削孔を行って、コンクリートコアの採取を行い、
しかる後に、前記筒状封入管に加圧水を所定の水圧で封入した状態で、前記給水部から前記筒状封入管に水を供給すると共に前記排水部から水を排出しつつ削孔を行って、残った背面部分のコンクリートコアの採取を行うコンクリートコア採取方法。
【請求項４】
前記壁体を貫通する手前の前記壁体の背面との間に残される背面部分のコンクリートの所定の厚さは、３〜６ｃｍである請求項３に記載のコンクリートコア採取方法。
【請求項５】
前記筒状封入管に封入される前記加圧水の所定の水圧が、コア採取箇所において前記コンクリート構造物の壁体の背面に負荷される外水圧よりも０．０４〜０．０６Ｎ／ｍｍ2低い水圧に設定されている請求項３又は４に記載のコンクリートコア採取方法。
【請求項６】
前記排水部からの排出水圧が、前記給水部からの供給水圧よりも、０．０１〜０．０３Ｎ／ｍｍ2低く設定されている請求項３〜５のいずれかに記載のコンクリートコア採取方法。
【発明の詳細な説明】
【技術分野】
【０００１】
本発明は、背面に水圧が負荷されているコンクリート構造物の壁体から、当該壁体を貫通してコンクリートコアを採取する際に用いるコンクリートコア採取装置及びコンクリートコア採取方法に関する。
【背景技術】
【０００２】
例えば、既に形成されている既設のコンクリート構造物に対して、その強度を確認したり、中性化、塩害等による影響を詳細に調査する方法として、好ましくは、コンクリート構造物の壁体からコンクリートコアを採取し、採取したコンクリートコアを用いて各種の検査や試験を行う方法が一般的に採用されている。また、既設のコンクリート構造物からコンクリートコアを採取する方法としては、コアカッターを装備した削孔機を用いて削孔を行い、コンクリート構造物からコンクリートコアを直接抜き取る方法が知られている（例えば、特許文献１参照）。
【０００３】
また、上述のコンクリートコアを採取する方法では、削孔機は、コアカッターを回転駆動させる回転駆動装置、コアカッターを前進、後退させる送り駆動手段、コアカッターを支持する支持架台等を備えており、切削時に発生する摩擦熱を冷却するための削孔水を、送り駆動手段等を介してコアカッターの先端のコアビットに供給しつつ、コアビットによってコンクリートを切削して、円柱状のコンクリートコアをコンクリート構造物から回収するようになっている。
【特許文献１】特開２０００−２１０９２７号公報
【発明の開示】
【発明が解決しようとする課題】
【０００４】
一方、コンクリート構造物は、地中に埋設されたり、水中に構築される場合があり、このようなコンクリート構造物では、周囲を囲う壁体の背面に水圧が負荷された状態となっている。また、例えば海岸の近くや海中に設置されるコンクリート構造物の場合、塩害等による影響を正確に把握するには、周囲の環境と直接接触する壁体の背面部分のコンクリートコアをサンプルとして回収することが必要になるため、コンクリート構造物の壁体を貫通してコンクリートコアを採取することが要求される。
【０００５】
しかしながら、コンクリート構造物の壁体を貫通してコンクリートコアを採取する場合、コンクリート構造物の壁体の背面に水圧が負荷されていると、コアカッターが壁体を貫通する際に、背面側の加圧水や土砂が壁体の表面側に噴出して、コンクリートコアを採取する作業が困難になる。また、コンクリート構造物の壁体の背面に大きな水圧が負荷されていると、コアカッターが壁体を貫通する際に、その圧力差によってコンクリートコアの先端部分が欠けてしまい、採取される背面部分のコンクリートコアの品質が悪くなる。
【０００６】
本発明は、このような技術的課題に着目してなされたものであり、背面に水圧が負荷されているコンクリート構造物の壁体から、背面側の加圧水や土砂が壁体の表面側に噴出するのを回避しつつ、壁体を貫通してコンクリートコアを安定した状態で容易に採取することができると共に、品質の良好な背面部分のコンクリートコアを採取することのできるコンクリートコア採取装置及びコンクリートコア採取方法を提供することを目的とする。
【課題を解決するための手段】
【０００７】
本発明は、背面に水圧が負荷されているコンクリート構造物の壁体から、当該壁体を貫通してコンクリートコアを採取する際に用いるコンクリートコア採取装置であって、コアカッターと、該コアカッターの貫通方向後方に接続される進退ロッドと、該進退ロッドを進退可能に支持すると共に、回転駆動機構を備える進退駆動装置と、一方の開口端面でコア採取箇所を覆って前記壁体の表面に密着状態で取り付けられると共に、他方の開口端面が開閉可能な止水キャップで閉塞されることにより内部に加圧水を封入可能な筒状封入管と、該筒状封入管に水を供給する給水部と、該筒状封入管から水を排出する排水部とを含んで構成され、前記進退ロッドが前記止水キャップのシール孔に摺動可能に挿通されることにより、前記筒状封入管の内部には、前記コアカッターが前記コア採取箇所に対向して進退可能に配置されると共に、前記筒状封入管には、前記一方の開口端面側の部分を開閉可能に仕切って閉塞することにより、当該一方の開口端面側の部分を加圧水で満しつつ、前記止水キャップを前記他方の開口端面から解放可能とするバルブ装置が設けられており、且つ前記一方の開口端面側の部分には、これの内部の水圧を計測する圧力ゲージが取り付けられているコンクリートコア採取装置を提供することにより、上記目的を達成したものである。
【０００８】
そして、本発明のコンクリートコア採取装置は、前記給水部からの給水水圧及び前記排水部からの排水水圧が調整可能となっていることが好ましい。
【０００９】
また、本発明は、上記コンクリートコア採取装置を用いたコンクリートコア採取方法であって、前記コンクリート構造物の壁体の表面側から前記コアカッターによる削孔を行って、前記壁体を貫通する手前の前記壁体の背面との間に所定の厚さのコンクリートを残した背面部分までは、前記筒状封入管に加圧水を封入することなく、前記進退ロッドを介して前記コアカッターに送られる削孔水を前記排水部から排出しつつ削孔を行って、コンクリートコアの採取を行い、しかる後に、前記筒状封入管に加圧水を所定の水圧で封入した状態で、前記給水部から前記筒状封入管に水を供給すると共に前記排水部から水を排出しつつ削孔を行って、残った背面部分のコンクリートコアの採取を行うコンクリートコア採取方法を提供することにより、上記目的を達成したものである。
【００１０】
そして、本発明のコンクリートコア採取方法は、前記壁体を貫通する手前の前記壁体の背面との間に残される背面部分のコンクリートの所定の厚さが、３〜６ｃｍであることが好ましい。
【００１１】
また、本発明のコンクリートコア採取方法は、前記筒状封入管に封入される前記加圧水の所定の水圧が、コア採取箇所において前記コンクリート構造物の壁体の背面に負荷される外水圧よりも０．０４〜０．０６Ｎ／ｍｍ2低い水圧に設定されていることが好ましい。
【００１２】
さらに、本発明のコンクリートコア採取方法は、前記排水部からの排水水圧が、前記給水部からの給水水圧よりも、０．０１〜０．０３Ｎ／ｍｍ2低く設定されていることが好ましい。
【発明の効果】
【００１３】
本発明のコンクリートコア採取装置又はコンクリートコア採取方法によれば、背面に水圧が負荷されているコンクリート構造物の壁体から、背面側の加圧水や土砂が壁体の表面側に噴出するのを回避しつつ、壁体を貫通してコンクリートコアを安定した状態で容易に採取することができると共に、品質の良好な背面部分のコンクリートコアを採取することができる。
【発明を実施するための最良の形態】
【００１４】
図１に示す本発明の好ましい一実施形態に係るコンクリートコア採取装置１０は、背面に水圧が負荷されているコンクリート構造物として、例えば海岸に近接して構築された立坑の周囲を囲う地中連続壁による壁体１１から、当該壁体１１を貫通してコンクリートコアを採取する際に採用されるものである。すなわち、海岸に近接して構築されたコンクリート構造物の周囲の地盤の地下水は、塩分を多く含んでおり、この塩分を含んだ地下水が直接接触する、壁体１１の背面部分のコンクリートコアをサンプルとして回収して、その強度や、中性化、塩害等による影響を、各種の検査や試験を行って正確に把握するべく、背面に水圧が負荷されているコンクリート構造物の壁体１１を貫通して、特に背面部分のコンクリートコアを容易に採取できるようにするために採用されたものである。
【００１５】
そして、本実施形態のコンクリートコア採取装置１０は、図２にも示すように、コアカッター１２と、このコアカッター１２の貫通方向Ｘの後方に接続される進退ロッド１３と、進退ロッド１３を進退可能に支持すると共に、回転駆動機構１４を備える進退駆動装置１５と、一方の開口端面１６ａでコア採取箇所１７を覆って壁体１１の表面に密着状態で取り付けられると共に、他方の開口端面１６ｂが開閉可能な止水キャップ１８で閉塞されることにより内部に加圧水を封入可能な筒状封入管１６と、この筒状封入管１６に水を供給する給水部２０と、この筒状封入管１９から水を排出する排水部２１とを含んで構成されている。また進退ロッド１３が止水キャップ１８のシール孔２２に摺動可能に挿通されることにより、筒状封入管１６の内部には、コアカッター１２がコア採取箇所１７に対向して進退可能に配置されると共に、筒状封入管１６には、一方の開口端面１６ａ側の部分を開閉可能に仕切って閉塞することにより、当該一方の開口端面１６ａ側の部分を加圧水で満しつつ、止水キャップ１８を他方の開口端面１６ｂから解放可能とするバルブ装置２３が設けられており、且つ一方の開口端面１６ａ側の部分には、これの内部の水圧を計測する圧力ゲージ２４が取り付けられている。
【００１６】
また、本実施形態では、給水部２０からの供給水圧及び排水部２１からの排出水圧が調整可能となっている。
【００１７】
本実施形態では、コアカッター１２は、例えば特開２０００−２１０９２７号公報に示されるコアビットと略同様の構成を備える中空円筒状の公知のもので、図３にも示すように、先端にビット部２５を備えていて、回転駆動機構１４の駆動により、進退ロッド１３を介して回転駆動しつつ進退し、コア採取箇所１７のコンクリートを切削ながら削孔して、内部にコンクリートコア１９を採取するようになっている。また、コアカッター１２の後端部は進退ロッド１３と連通しており、進退ロッド１３を経て供給される削孔水を、ビット部２５による切削箇所に送って、切削時に発生する摩擦熱を冷却することができるようになっている。
【００１８】
コアカッター１２の貫通方向Ｘの後方に接続される進退ロッド１３は、例えば金属製の中空パイプ部材からなり、回転駆動機構１４からの回転力をコアカッター１２に伝達するのに十分な強度を有していると共に、中空内部を介して、削孔水をコアカッター１２に供給できるようになっている。また進退ロッド１３は、開口縁部に例えば止水用のＯ−リング２６が取り付けられた、筒状封入管１９の他方の開口端面１６ｂを閉塞する止水キャップ１８のシール孔２２に挿通されて（図２参照）、筒状封入管１９の外側に延設し、その貫通方向Ｘの後方の端部が、進退駆動装置１５の回転駆動機構１４に接続される（図１参照）。これによって、進退ロッド１３は、回転駆動機構１４の駆動によって回転駆動すると共に、進退駆動装置１５の案内支持レール２７に沿った回転駆動機構１４のスライド移動に伴って進退駆動することになる。また回転駆動機構１４の貫通方向Ｘの後端部に接続された削孔水供給管２８から、削孔水が送られるようになっている。
【００１９】
進退駆動装置１５は、支持架台２９と、この支持架台２９の案内支持レール２７に沿って進退スライドする回転駆動機構１４とからなる。支持架台２９は、Ｈ形鋼、溝形鋼、山形鋼等の各種の鋼材をボルトや溶接によって組み付けてなり、壁体１１の側壁面や底壁面に支持固定されて、コアカッター１２によってコア採取箇所１７のコンクリートを切削する際の切削反力を強固に支持できるようになっている。また、支持架台２９の案内支持レール２７に案内されて進退スライドする回転駆動機構１４は、回転モータや減速機等を備える、コンクリートコア採取用の回転駆動機構として公知の各種の駆動機構を使用することができる。この回転駆動機構１４は、案内支持レール２７に沿って進退スライドさせる進退駆動部３０を備えている。
【００２０】
筒状封入管１６は、円筒状の鋼管からなり、これの一方の端部には、外側に円環状に延設する接合フランジ３１が設けられている。一方の開口端面１６ａでコア採取箇所１７を覆いつつ、接合フランジ３１を壁体１１の表面に密着させて、当該接合フランジ３１を接合ボルト等を介して壁体１１に接合することにより、筒状封入管１６は、略垂直に突出した状態で壁体１１の表面に固定される。また筒状封入管１６の他端部には、他方の開口端面１６ｂを着脱可能に覆って、止水キャップ１８が取り付けられており、止水キャップ１８の中央部分にはシール孔２２が開口形成されている。さらに、シール孔２２の開口周縁部には、止水用のＯ−リング２６が取り付けられており、これによって、シール孔２２に挿通される進退ロッド１３を、筒状封入管１６の内部に加圧水を封入した状態においても加圧水をシール孔２２から漏出させることなく、進退摺動させることができるようになっている。
【００２１】
また、本実施形態では、筒状封入管１６には給水部２０と排水部２１とが設けられている。給水部２０は、例えば給水弁からなり、給水管３２を介して給水用圧力タンク３３と接続している。給水用圧力タンク３３には、圧力制御装置３４が設けられており、給水部２０からの供給水圧を調整制御できるようになっている。排水部２１は、例えば排水弁からなり、排水管３５を介して排水用圧力タンク３６と接続している。排水用圧力タンク３６には、圧力制御装置３７が設けられており、排水部２１からの供給水圧を調整制御できるようになっている。給水用圧力タンク３３及び排水用圧力タンク３６は、各々、圧力配管３８を介してコンプレッサー３９と接続している。
【００２２】
さらに、本実施形態では、筒状封入管１６には、当該筒状封入管１６を開閉可能に仕切って閉塞するバルブ装置２３が設けられている。バルブ装置２３としては、例えば水道管を開閉可能に閉塞する装置として公知の各種のバルブ装置を使用することができる。筒状封入管１６にバルブ装置２３が設けられていることにより、例えば壁体１１を貫通させて採取した背面部分のコンクリートコア１９を取り出す際に、筒状封入管１６の内部において、コアカッター１２をバルブ装置２３よりも貫通方向Ｘの後方側に移動させた後に、バルブ装置２３を閉塞すれば、一方の開口端面１６ａ側の部分を加圧水で満しつつ、止水キャップ１８を解放して、コアカッター１２を筒状封入管１６の他方の開口端面１６ｂから抜き出すことが可能になる。これによって、壁体１１の貫通部分から、背面側の加圧水や土砂が壁体１１の表面側に噴出するのを回避しつつ、コアカッター１２から背面部分のコンクリートコア１９を容易に取り出すことが可能になる。
【００２３】
さらにまた、本実施形態では、筒状封入管１６の一方の開口端面１６ａ側の部分には、筒状封入管１６の内部の水圧Ｐｇを計測する圧力ゲージ２４が取り付けられている。圧力ゲージ２４としては、例えば水道管の内部の水圧を計測するゲージとして公知の各種の圧力ゲージを使用することができる。筒状封入管１６に圧力ゲージ２４が設けられていることにより、筒状封入管１６内の水圧Ｐｇの変動を管理することが可能になり、例えば筒状封入管１６内の水圧Ｐｇが大きく変動したら、コアカッター１２が壁体１１を貫通し始めたものと判断することが可能になる。
【００２４】
そして、上述の構成を備える本実施形態のコンクリートコア採取装置１０を用いて、背面に水圧が負荷されているコンクリート構造物の壁体１１から、当該壁体１１を貫通してコンクリートコア１９を採取するには、好ましくは、壁体１１の表面側からコアカッター１２による削孔を行って、壁体１１を貫通する手前の壁体１１の背面との間に所定の厚さｔとして例えば５ｃｍの厚さのコンクリートを残した背面部分までは、図３に示すように、筒状封入管１６に加圧水を封入することなく、進退ロッド１３を介してコアカッター１２に送られる削孔水を排水部２１から排出しつつ削孔を行って、コンクリートコア１９の採取を行い、しかる後に、筒状封入管１６に加圧水を所定の水圧Ｐｇで封入した状態で、図２に示すように、給水部２０から筒状封入管１６に水を供給すると共に排水部２１から水を排出しつつ削孔を行って、残った背面部分のコンクリートコア１９の採取を行う。
【００２５】
ここで、壁体１１を貫通する手前の壁体１１の背面との間に残される背面部分のコンクリートの所定の厚さｔは、３〜６ｃｍとすることが好ましい。壁体１１の背面との間に残される背面部分のコンクリートの厚さｔが小さ過ぎると、筒状封入管１６に加圧水を封入することなく行うコアカッター１２による削孔速度が早いので、背面部分のコンクリートが欠けたり、誤って壁体１１を貫通しさせてしまう場合があり、また大き過ぎると、筒状封入管１６に加圧水を封入して行うコアカッター１２による削孔速度が遅いので、コンクリートコア１９を採取する作業全体の時間がかかりすぎることになる。
【００２６】
そして、壁体１１を貫通する手前のコンクリートを所定の厚さｔだけ残した背面部分までは、従来のコンクリートコア１９の採取方法と同様に、筒状封入管１６の内部に加圧水を封入することなく、図３に示すように、進退ロッド１３を介して削孔水を供給しつつコアカッター１２によって壁体１１のコンクリートを削孔する。すなわち、給水部２０を閉塞した状態とし、削孔による切削屑と共に削孔水を排水部２１から排出しつつ削孔して、コンクリートコア１９を採取する。コンクリートコア１９を長い状態で採取する場合には、例えばコアカッター１２と進退ロッド１３との間に、適宜コアチューブを追加して取り付けて、削孔を行うこともできる。コンクリートを所定の長さ切削したら、例えば削孔水の供給を停止し、コアカッター１２を回転させながら押し付けると、切削屑がコアカッター１２の先端に固着することにより、コアカッター１２の内部に取り込まれたコンクリートコア１９が、貫通方向Ｘの前方側の壁体１１のコンクリートから折り取られて分離するので、当該コアカッター１２の内部に取り込まれたコンクリートコア１９を、止水キャップ１８が取り外された他方の開口端面１６ｂからコアカッター１２を抜き出して、容易に採取することが可能になる。
【００２７】
一方、壁体１１を貫通する手前の厚さｔだけ残した、壁体１１の背面部分のコンクリートに対しては、筒状封入管１６の内部に加圧水を所定の水圧Ｐｇで封入した状態で、図２に示すように、コアカッター１２によって壁体１１のコンクリートを削孔する。すなわち、筒状封入管１６の内部に加圧水を封入すると共に、例えば削孔水の供給を停止し、給水部２０及び排水部２１を解放して、双方に供給水圧Ｐｉ及び排出水圧Ｐｏをかけた状態で、上述の筒状封入管１６の内部に加圧水を封入することなく削孔を行う際の削孔速度よりも、削孔速度を下げて削孔を行う。
【００２８】
ここで、筒状封入管１６に封入される加圧水の所定の水圧Ｐｇは、コア採取箇所１７においてコンクリート構造物の壁体１１の背面に負荷される外水圧Ｐａよりも０．０４〜０．０６Ｎ／ｍｍ2低い水圧に設定されていることが好ましい。封入される加圧水の水圧Ｐｇの、外水圧Ｐａよりも低く設定される圧力差が小さ過ぎると、貫通時の勢いで背面部分のコンクリートコア１９が背面側に押し出されやすくなり、また大き過ぎると、貫通時に背面側の加圧水や土砂が筒状封入管１６の内部に流入しやすくなる。
【００２９】
また、排水部２１からの排出水圧Ｐｏは、給水部２０からの供給水圧Ｐｉよりも、０．０１〜０．０３Ｎ／ｍｍ2低く設定されていることが好ましい。排出水圧Ｐｏの供給水圧Ｐｉよりも低く設定される圧力差が小さ過ぎると、筒状封入管１６の内部における水の循環が悪くなって、切削屑をスムーズに排出することが困難になり、大き過ぎると、排出水圧Ｐｏに支配される筒状封入管１６の内部の水圧Ｐｇが外水圧Ｐａよりも小さくなり過ぎて、貫通時に背面側の加圧水や土砂が筒状封入管１６の内部に流入しやすくなる。
【００３０】
本実施形態では、より具体的には、例えば給水部２０からの供給水圧Ｐｉを、外水圧Ｐａよりも０．０３Ｎ／ｍｍ2低く設定すると共に、例えば排水部２１からの排出水圧Ｐｏを、外水圧Ｐａよりも０．０５Ｎ／ｍｍ2低く設定して、これらの圧力差によって、削孔時の切削屑がスムーズに排水部２１から排出されるようになっている。また、筒状封入管１６の内部の水圧Ｐｇは、給水部２０からの供給水圧Ｐｉと排水部２１からの排出水圧Ｐｏのうちの低い方の水圧に支配されることから、排出水圧Ｐｏと同じ水圧となり、これによって外水圧Ｐａよりも０．０５Ｎ／ｍｍ2低く設定されることになる。なお、外水圧Ｐａが０．０６Ｎ／ｍｍ2以下の場合には、給水部２０からの供給水圧Ｐｉは常時０．０３Ｎ／ｍｍ2に、排水部２１からの排出水圧Ｐｏは常時０．０１Ｎ／ｍｍ2に設定することが好ましい。
【００３１】
そして、筒状封入管１６の内部に加圧水を所定の水圧Ｐｇで封入て、壁体１１の背面部分のコンクリートを削孔してゆき、図４に示すように、コアカッター１２が壁体１１を貫通し始めると、外水圧Ｐａの影響を受けて、圧力ゲージ２４によって計測される筒状封入管１６の内部の水圧Ｐｇが変動するので、内部の水圧Ｐｇが変動し始めたら、コアカッター１２が貫通し始めたものと判断して、給水部２０と排水部２１を閉塞すると共に、削孔速度をさらに下げて削孔を行う。
【００３２】
壁体１１の削孔をさらに継続すると、筒状封入管１６の内部の水圧Ｐｇは次第に上昇して、貫通終了時には、外水圧Ｐａと等しくなるので、外水圧Ｐａと同じ水圧が圧力ゲージ２４によって計測されることにより、コアカッター１２の貫通の終了が確認される。コアカッター１２の貫通は、コアカッター１２の貫入抵抗の急激な低下によっても確認することができる。
【００３３】
壁体１１を貫通するまで削孔して得られたの背面部分のコンクリートコア１９は、コアカッター１２を筒状封入管１６の内部でバルブ装置２３の後方まで後退させた後に、バルブ装置２３を閉塞し、一方の開口端面１６ａ側の部分を加圧水で満した状態で、止水キャップ１８を解放してコアカッター１２を筒状封入管１６の他方の開口端面１６ｂから抜き出して、コアカッター１２から当該背面部分のコンクリートコア１９を取り出すことにより、容易に採取することが可能になる。
【００３４】
なお、本実施形態で採用した、（１）筒状封入管１６に加圧水を封入することなく行う通常のコア削孔時、（２）コアカッター１２の内部のコンクリートコア１９の折り取り時、（３）筒状封入管１６に加圧水を封入して行う背面部分のコア削孔時、（４）コアカッター１２が貫通する直前のコア削孔時、及び（５）貫通後における、各々の外水圧Ｐａ、ゲージ圧Ｐｇ、供給水圧Ｐｉ、排出水圧Ｐｏ、削孔水圧Ｐｓ、削孔速度Ｖを表１に示す。
【００３５】
【表１】
2008246743.tif 000003
【００３６】
そして、本実施形態によれば、背面に水圧が負荷されているコンクリート構造物の壁体１１から、背面側の加圧水や土砂が壁体の表面側に噴出するのを回避しつつ、壁体１１を貫通してコンクリートコアを安定した状態で容易に採取することができると共に、品質の良好な背面部分のコンクリートコアを採取することができる。
【００３７】
すなわち、本実施形態によれば、背面に水圧が負荷されているコンクリート構造物の壁体１１の背面部分のコンクリートコア１９を、筒状封入管１６に加圧水を封入した状態でコンクリートを削孔して得ることができると共に、バルブ装置２３を閉塞して一方の開口端面１６ａ側の部分を加圧水で満しつつ、止水キャップを他方の開口端面１６ａから解放してコンクリートコア１９を筒状封入管１６から抜き出すことにより、背面部分のコンクリートコア１９を採取するようになっているので、壁体１１の背面側の加圧水や土砂が貫通孔から表面側に噴出するのを回避しつつ、筒状封入管１６に加圧水を封入することなく行う通常のコンクリートコア１０の採取作業と相俟って、壁体１１の厚さ方向の全体のコンクリートコア１９を、安定した状態で効率良く採取することが可能になる。
【００３８】
また、本実施形態によれば、コンクリート構造物の壁体１１の背面部分のコンクリートコア１９を採取する際に、筒状封入管１６に封入される加圧水の水圧を、外水圧Ｐａよりも低い所定の水圧Ｐｇに設定して貫通時の削孔を行うので、壁体１１の背面に負荷される大きな水圧との圧力差により貫通時にコンクリートコア１９の先端部分が欠けてしまうのを効果的に回避して、品質の良好な背面部分のコンクリートコア１９を採取することが可能になると共に、筒状封入管１６の内部の水圧が外水圧Ｐａよりも高くなって、貫通時にコンクリートコア１９が壁体１１の背面側に押し出されて回収不能になるのを防止することが可能になる。
【００３９】
なお、本発明は上記実施形態に限定されることなく種々の変更が可能である。例えば、背面部分以外の壁体のコンクリートの削孔を、筒状封入管に加圧水を封入することなく行ってコンクリートコアを採取する必要は必ずしもなく、壁体の厚さ方向の全長に亘って、筒状封入管に加圧水を封入した状態でコンクリートの削孔を行うこともできる。また、筒状封入管に加圧水を封入した状態でコンクリートの削孔を行うのは、コアカッターが壁体を貫通する直前だけで良いが、例えばコンクリート構造物の壁体の厚さが予定よりも小さかった場合でも加圧水や土砂の流入等を防止するために、貫通する相当程度手前から、筒状封入管に加圧水を封入した状態でコンクリートの削孔を行うことが好ましい。
【図面の簡単な説明】
【００４０】
【図１】本発明の好ましい一実施形態に係るコンクリートコア採取装置の構成を説明する略示図である。
【図２】本発明の好ましい一実施形態に係るコンクリートコア採取装置を用いて、壁体の背面部分のコンクリートコアを採取する工程を説明する要部略示断面図である。
【図３】本発明の好ましい一実施形態に係るコンクリートコア採取装置を用いて、壁体の背面部分の手前のコンクリートコアを採取する工程を説明する要部略示断面図である。
【図４】コアカッターが壁体を貫通する直前の工程を説明する拡大略示断面図である。
【符号の説明】
【００４１】
１０  コンクリートコア採取装置
１１  壁体
１２  コアカッター
１３  進退ロッド
１４  回転駆動機構
１５  進退駆動装置
１６  筒状封入管
１６ａ  筒状封入管の一方の開口端面
１６ｂ  筒状封入管の他方の開口端面
１７  コア採取箇所
１８  止水キャップ
１９  コンクリートコア
２０  給水部
２１  排水部
２２  シール孔
２３  バルブ装置
２４  圧力ゲージ
２５  ビット部
２６  Ｏ−リング
２７  案内支持レール
２９  支持架台
３０  進退駆動部
Ｘ    貫通方向
【図１】
2008246743.tif 000004
【図２】
2008246743.tif 000005
【図３】
2008246743.tif 000006
【図４】
2008246743.tif 000007